(57)【要約】【課題】表示板に投影した画像や筆記した画像を同時に記録する場合に、明るさにムラのない適正な画像を得ることが可能なプレゼンテーション装置を提供すること。【解決手段】プレゼンテーション装置１は、プロジェクタ２がホワイトボード３に投影する画像を、当該プロジェクタ２へ出力する出力手段と、ホワイトボード３を撮影するためのデジタルカメラ１１と、デジタルカメラ１１でホワイトボード３を撮影する場合に、プロジェクタ２でホワイトボード３に投影している投影画像Ａを非投影状態にさせ、ホワイトボード３に筆記された筆記画像Ｂのみを撮影させるべく制御する撮影制御手段と、デジタルカメラ１１で撮影された筆記画像Ｂと、ホワイトボード３に投影されていた投影画像Ａとを合成して合成画像を生成する画像合成手段と、を備えている。【選択図】      図１
2004200793.tif 000002
【特許請求の範囲】
【請求項１】
筆記可能な表示板に、投影装置で画像を投影してプレゼンテーションを行うプレゼンテーションシステムにおけるプレゼンテーション装置において、
前記表示板を撮影するための撮影手段と、
シート原稿の原稿画像を読み取る画像読取手段と、
前記画像読取手段で読み取った原稿画像等を前記投影装置に出力する出力手段と、
を備えたことを特徴とするプレゼンテーション装置。
【請求項２】
筆記可能な表示板に、投影装置で画像を投影してプレゼンテーションを行うプレゼンテーションシステムにおけるプレゼンテーション装置において、
前記投影装置が前記表示板に投影する画像を、前記投影装置へ出力する出力手段と、
前記表示板を撮影するための撮影手段と、
前記前記撮影手段で前記表示板を撮影する場合に、前記投影手段で前記表示板に投影している投影画像を非投影状態にさせ、前記表示板に筆記された筆記画像のみを撮影させるべく制御する撮影制御手段と、
前記撮影手段で撮影された筆記画像と、前記表示板に投影されていた前記投影画像とを合成して合成画像を生成する画像合成手段と、
を備えたことを特徴とするプレゼンテーション装置。
【請求項３】
前記撮影制御手段は、前記撮影手段で前記表示板を撮影する場合に、前記投影手段に前記投影画像の替わりに全黒画像を投影させて前記非投影状態にすることを特徴とする請求項２に記載のプレゼンテーション装置。
【請求項４】
ネットワークを介してデータの送受信を行うネットワーク処理手段を備えたことを特徴とする請求項１〜請求項３のいずれか１つに記載のプレゼンテーション装置。
【請求項５】
パソコンと接続するためのインターフェイスを備え、
前記出力手段は、前記パソコンから前記インターフェイスを介して入力される画像を前記投影手段に出力することを特徴とする請求項１〜請求項３に記載のプレゼンテーション装置。
【請求項６】
さらに、シート原稿の原稿画像を読み取る画像読取手段を備え、
前記出力手段は、前記画像読取手段で読み取った原稿画像を前記投影装置に出力することを特徴とする請求項２または請求項３に記載のプレゼンテーション装置。
【請求項７】
前記出力手段は、前記ネットワーク処理手段でネットワークを介して受信した画像を前記投影装置に出力することを特徴とする請求項４に記載のプレゼンテーション装置。
【請求項８】
前記投影装置と一体的に構成したことを特徴とする請求項１〜請求項３のいずれか１つに記載のプレゼンテーション装置。
【請求項９】
さらに、
前記画像読取手段で読み取った原稿画像、前記撮影手段で撮影した筆記画像、および前記合成手段で合成した合成画像を保存する記憶手段と、
前記記憶手段に保存されている画像のサムネイル画像を生成して、前記記憶手段に格納するサムネイル画像生成手段と、
前記記憶手段に格納されたサムネイル画像の一覧を、前記投影装置に前記表示板に投影させるサムネイル画像表示制御手段と、
前記投影されたサムネイル画像の一覧の中からサムネイル画像を選択する選択手段と、
前記選択手段で選択されたサムネイル画像に対応する画像を、前記投影装置に前記表示板に投影させる画像投影制御手段と、
を含むことを特徴とする請求項６に記載のプレゼンテーション装置。
【請求項１０】
さらに、
前記画像読取手段で読み取った原稿画像、前記撮影手段で撮影した筆記画像、および前記合成手段で合成した合成画像を保存する記憶手段を備え、
前記ネットワーク処理手段は、前記記憶手段に格納されている画像をネットワークを介して配信することを特徴とする請求項６に記載のプレゼンテーション装置。
【請求項１１】
前記ネットワーク処理手段は、前記画像をＥ−Ｍａｉｌの形式で配信することを特徴とする請求項１０に記載のプレゼンテーション装置。
【発明の詳細な説明】
【０００１】
【発明の属する技術分野】
本発明は、プレゼンテーション装置に関し、詳細には、各種の会議や教育等に活用され、発表者が投影画像に基づいて説明を行う場合に利用されるプレゼンテーションシステムにおけるプレゼンテーション装置に関する。
【０００２】
【従来の技術】
従来、プレゼンテーションシステムでは、プレゼンテーション用のコンテンツ（説明内容）を示す像をスライド映写機でスクリーンに投影させていたが、最近では、上記コンテンツをパソコンに記憶させておき、このパソコンの画面を投影装置によりスクリーンに投影させる方法が多用されている。
【０００３】
ところで、このようなプレゼンテーションシステムを実際に運用する場合、プレゼンテーションの現場においては、発表者が質疑応答や捕捉説明などのために、文字や図などを書いて聞き手に示すことがしばしば生じる。その場合、発表者は、近くに筆記可能な表示板、例えば、黒板やホワイトボードがあれば、これに上記文字などを書いて説明を行っている。
【０００４】
また、パソコンを導入したプレゼンテーションシステムでは、パソコンの画面をスクリーンに投影して、発表者がパソコンを操作してプレゼンテーションを行っている。
【０００５】
しかしながら、打ち合わせやアイデア会議等の資料を元に活発に討論したり、書き出したりする場合、従来のプロジェクタとパソコンを使った方式では、その場での発言、アイデアの記載や急な資料の表示が困難であった。
【０００６】
また、ホワイトボードなどの表示板に投影や筆記した画像を撮影するプレゼンテーションシステムが知られている（例えば、特許文献１参照）。同プレゼンテーションシステムは、プレゼンテーション用コンテンツを示す像を投影する投影装置と、上記投影装置による投影像の表示が可能な筆記用表示板と、上記投影装置に一体的に設けられて上記表示板における投影像を撮影できるデジタルカメラとを備えたものである。
【０００７】
しかしながら、上記従来のプレゼンテーションシステムにおいては、ホワイトボードに画像を投影し、さらに、ホワイトボードにマーカーで筆記を加えて、画像が投影されかつ筆記されたホワイトボードを撮影した場合、投影部分と非投影部分の明るさにムラがあるため、撮影した画像は、明るさにムラがあり、適正な撮影画像を得ることができないという問題がある。
【０００８】
【特許文献１】
特開平１１−３０５３３５号公報
【０００９】
【発明が解決しようとする課題】
本発明は、上記に鑑みてなされたものであり、表示板に投影した画像や筆記した画像を同時に記録する場合に、明るさにムラのない適正な画像を得ることが可能なプレゼンテーション装置を提供することを目的とする。
【００１０】
また、本発明は、上記課題に鑑みてなされたものであり、急な資料の表示が可能なプレゼンテーション装置を提供することを目的とする。
【００１１】
【課題を解決するための手段】
上記課題を解決するために、請求項１にかかる発明は、筆記可能な表示板に、投影装置で画像を投影してプレゼンテーションを行うプレゼンテーションシステムにおけるプレゼンテーション装置において、前記表示板を撮影するための撮影手段と、シート原稿の原稿画像を読み取る画像読取手段と、前記画像読取手段で読み取った原稿画像等を前記投影装置に出力する出力手段と、を備えたことを特徴とする。
【００１２】
上記発明によれば、原稿読取手段は、シート原稿の原稿画像を読み取り、出力手段は、画像読取手段で読み取った原稿画像等を投影装置に出力することにより、シート原稿を表示板に投影することが可能となり、急な資料の表示が可能となる。
【００１３】
上記課題を解決するために、請求項２にかかる発明は、筆記可能な表示板に、投影装置で画像投影してプレゼンテーションを行うプレゼンテーションシステムにおけるプレゼンテーション装置において、前記投影装置が前記表示板に投影する画像を前記投影装置へ出力する出力手段と、前記表示板を撮影するための撮影手段と、前記前記撮影手段で前記表示板を撮影する場合に、前記投影手段で前記表示板に投影している投影画像を非投影状態にさせ、前記表示板に筆記された筆記画像のみを撮影させるべく制御する撮影制御手段と、前記撮影手段で撮影された筆記画像と、前記表示板に投影されていた前記投影画像とを合成して合成画像を生成する画像合成手段と、を備えたことを特徴とする。
【００１４】
上記発明によれば、出力手段は、投影装置が表示板に投影する画像を投影装置へ出力し、撮影手段は、表示板を撮影し、撮影制御手段は、撮影手段で表示板を撮影する場合に、投影手段で前記表示板に投影している投影画像を非投影状態にさせ、表示板に筆記された筆記画像のみを撮影させるべく制御し、画像合成手段は、撮影手段で撮影された筆記画像と、表示板に投影されていた前記投影画像とを合成して合成画像を生成する。
【００１５】
また、請求項３にかかる発明は、請求項２にかかる発明において、前記撮影制御手段は、前記撮影手段で前記表示板を撮影する場合に、前記投影手段に前記投影画像の替わりに全黒画像を投影させて前記非投影状態にすることを特徴とする。
【００１６】
上記発明によれば、撮影制御手段は、前記撮影手段で前記表示板を撮影する場合に、前記投影手段に前記投影画像の替わりに全黒画像を投影させて前記非投影状態にする。
【００１７】
また、請求項４にかかる発明は、請求項１〜請求項３のいずれか１つにかかる発明において、ネットワークを介してデータの送受信を行うネットワーク処理手段を備えたことを特徴とする。
【００１８】
上記発明によれば、ネットワーク処理手段は、ネットワークを介してデータの送受信を行う。
【００１９】
また、請求項５にかかる発明は、請求項１〜請求項３のいずれか１つにかかる発明において、パソコンと接続するためのインターフェイスを備え、前記出力手段は、前記パソコンから前記インターフェイスを介して入力される画像を前記投影手段に出力することを特徴とする。
【００２０】
上記発明によれば、出力手段は、パソコンからインターフェイスを介して入力される画像を投影手段に出力する。
【００２１】
また、請求項６にかかる発明は、請求項２または請求項３にかかる発明において、さらに、シート原稿の原稿画像を読み取る画像読取手段を備え、前記出力手段は、前記画像読取手段で読み取った原稿画像を前記投影装置で投影することを特徴とする。
【００２２】
上記発明によれば、画像読取手段は、シート原稿の原稿画像を読み取り、出力手段は、画像読取手段で読み取った原稿画像を投影装置に出力する。
【００２３】
また、請求項７にかかる発明は、請求項４にかかる発明において、前記出力手段は、前記ネットワーク処理手段でネットワークを介して受信した画像を、前記投影装置に出力することを特徴とする。
【００２４】
上記発明によれば、出力手段は、ネットワーク処理手段でネットワークを介して受信した画像を、前記投影装置に出力する。
【００２５】
また、請求項８にかかる発明は、請求項１〜請求項３のいずれか１つにかかる発明において、前記投影装置と一体的に構成したことを特徴とする。
【００２６】
上記発明によれば、投影装置とプレゼンテーション装置とを一体構造とする。
【００２７】
また、請求項９にかかる発明は、請求項６にかかる発明において、さらに、前記画像読取手段で読み取った原稿画像、前記撮影手段で撮影した筆記画像、および前記合成手段で合成した合成画像を保存する記憶手段と、前記記憶手段に保存されている画像のサムネイル画像を生成して、前記記憶手段に格納するサムネイル画像生成手段と、前記記憶手段に格納されたサムネイル画像の一覧を、前記投影装置に前記表示板に投影させるサムネイル画像表示制御手段と、前記投影されたサムネイル画像の一覧の中からサムネイル画像を選択する選択手段と、前記選択手段で選択されたサムネイル画像に対応する画像を、前記投影装置に前記表示板に投影させる画像投影制御手段と、を備えたことを特徴とする。
【００２８】
上記発明によれば、記憶手段は、画像読取手段で読み取った原稿画像、撮影手段で撮影した筆記画像、および前記合成手段で合成した合成画像を保存し、サムネイル画像生成手段は、記憶手段に保存されている画像のサムネイル画像を生成して記憶手段に格納し、サムネイル画像表示制御手段は、記憶手段に格納されているサムネイル画像の一覧を投影装置に表示板に投影させ、選択手段は、投影されたサムネイル画像の一覧の中からサムネイル画像を選択し、画像投影制御手段は、選択手段で選択されたサムネイル画像に対応する画像を、投影装置に表示板に投影させる。
【００２９】
また、請求項１０にかかる発明は、請求項６にかかる発明において、さらに、前記画像読取手段で読み取った原稿画像、前記撮影手段で撮影した筆記画像、および前記合成手段で合成した合成画像を保存する記憶手段を備え、前記ネットワーク処理手段は、前記記憶手段に格納されている画像をネットワークを介して配信することを特徴とする。
【００３０】
上記発明によれば、ネットワーク処理手段は、前記記憶手段に格納されている画像をネットワークを介して配信する。
【００３１】
また、請求項１１にかかる発明は、請求項１０にかかる発明において、前記ネットワーク処理手段は、前記画像をＥ−Ｍａｉｌの形式で配信することを特徴とする。
【００３２】
上記発明によれば、ネットワーク処理手段は、前記画像をＥ−Ｍａｉｌの形式で配信する。
【００３３】
【発明の実施の形態】
以下、図面を参照して、本発明にかかるプレゼンテーション装置の好適な実施の形態を詳細に説明する。
【００３４】
図１は、本実施の形態にかかるプレゼンテーションシステムの外観構成を示す図である。プレゼンテーションシステムは、図１に示す如く、プレゼンテーション装置１と、プロジェクタ（投影装置）２と、ホワイトボード３と、パソコン５とから構成されている。本実施の形態のプレゼンテーションシステムは、会議・打ち合わせ・発表・教育等で使用される。
【００３５】
プレゼンテーション装置１は、シート原稿Ｃの原稿画像を読み取るシートスキャナ１２と、ホワイトボード３上の画像を撮影するデジタルカメラ１１を備えている。プレゼンテーション装置１は、シートスキャナ１２で読み取った原稿画像やパソコン５から入力される画像等をプロジェクタ２に転送して、ホワイトボード３に表示させる。このプレゼンテーション装置１は、リモコン１０によりリモート操作される。上記デジタルカメラ１１は、オートフォーカス機能、ＡＥ機能、ＡＷＢ機能、およびズーム機能等を有しており、ホワイトボード３の表示面の全体を撮影可能に構成されている。
【００３６】
図２は、図１のプレゼンテーション装置の詳細な外観構成を示す図である。プロジェクタ装置１は、図２に示すように、高摩擦係数の高分子材料からなる、プロジェクタ２を載置するためのプロジェクタ設置台１６と、プロジェクタ２と接続するための出力ＲＧＢケーブル１３と、パソコン５と接続するための入力ＲＧＢケーブル１４と、ＬＡＮ（ネットワーク）に接続するためのＬＡＮ  Ｉ／Ｆ１５とを備えている。
【００３７】
図３は、プレゼンテーション装置１のシートスキャナ１２が、シート原稿を読み取る動作を説明するための図である。プレゼンテーション装置１の本体に設けられた収納可能な原稿トレイ１４にシート原稿Ｃをセットする。そして、リモコン１０の操作に従って、プレゼンテーション装置１は、シート原稿Ｃを装置内部に搬送して、シートスキャナ１２によりシート原稿の原稿画像を読取り、シート原稿Ｃを外部に排紙する。
【００３８】
上記プロジェクタ２は、プレゼンテーション装置１のプロジェクタ設置台１６に載置され、プレゼンテーション装置１から転送されるプレゼンテーション用の画像情報をホワイトボード３に投影画像として投影する。
【００３９】
上記ホワイトボード３は、図１に示す如く、プロジェクタ２により投影される投影画像Ａが表示可能で、かつ、マーカーペン４により筆記画像Ｂを筆記可能となっている。なお、ホワイトボードに限らず、プロジェクタ２により投影される投影画像Ａが表示可能で、かつ、マーカーペン４により筆記画像Ｂを筆記可能な表示板であれば良く、例えば、ホワイトボード３の替わりに電子黒板を使用することにしても良い。
【００４０】
パソコン５は、プロジェクタ２でホワイトボード３に投影する投影画像を表示するための画像情報をプレゼンテーション装置１に入力ＲＧＢケーブル１４を介して送信する。プレゼンテーション装置１は、パソコン５から転送される画像情報をプロジェクタ２に出力ＲＧＢケーブル１５を介して転送して投影画像をホワイトボード３に投影させる。すなわち、パソコン５の画面に表示される画像情報を、プロジェクタ２を介してそのままホワイトボード３に表示することができる。
【００４１】
図４は、プレゼンテーション装置１のハードウエア構成を示す図である。プレゼンテーション装置１は、上記シートスキャナ（画像入力部）１２と、オートフォーカス機能、ＡＥ機能、ＡＷＢ機能、ズーム機能、およびストロボ機能等を有する上記デジタルカメラ１１と、メイン制御ボード２０とから構成されている。
【００４２】
メイン制御ボード２０は、リモコン１０から入力される操作信号に従って、プレゼンテーション装置１の全体の制御を行う全体制御部２１と、ＬＡＮ（ネットワーク）を介してのデータ通信を制御するＬＡＮ  Ｃｏｎｔｒｏｌｌｅｒ（ネットワーク処理部）２２と、画像情報等を格納するための不揮発性のＲＡＭ２３と、画像合成やＲＡＭ２３に格納した画像のサムネール画像の作成を行う画像処理部２４と、全体制御部２１からの入力とアナログＲＧＢ入力部１８からの入力とを切り替えてアナログＲＧＢ出力部２７に出力するアナログスイッチ２５と、アナログＲＧＢ入力部２８から入力されるアナログの画像情報をデジタルの画像情報に変換するＡ／Ｄ変換器２６と、プロジェクタ２に出力ＲＧＢケーブル（図４で不図示、図２参照）を介して画像情報（アナログのＲＧＢ信号）を出力するためのアナログＲＧＢ出力部２７と、パソコン５から入力ＲＧＢケーブル１５（図４で不図示、図２参照）を介して入力される画像情報（アナログのＲＧＢ信号）を入力するためのアナログＲＧＢ入力部２８と、ＬＡＮとのインターフェースであるＬＡＮ  Ｉ／Ｆ１５と、リモコン１０からの操作信号を受信するリモコン信号受信部３０とを備えている。ＬＡＮとしては、例えば、Ｅｔｈｅｒｎｅｔ（登録商標）を使用することができる。
【００４３】
図４において、シートスキャナ１２と、デジタルカメラ１１と、全体制御部２１と、ＬＡＮ  Ｃｏｎｔｒｏｌｌｅｒ（ネットワーク処理部）２２と、ＲＡＭ２３と、画像処理部２４と、Ａ／Ｄ変換器２６とは互いにバスを介して接続されている。
【００４４】
リモコン１０は、プレゼンテーション装置１に動作指示を与えるためのものであり、リモコン１０のボタンが押下されると、その指示内容のコマンドが送信される。全体制御部２１は、そのコマンドをリモコン受信部３０を介して受信して、受信したコマンドに従った処理を行う。
【００４５】
リモコン１０は、シートスキャナ１２でシート原稿を読み取って読み取り画像のホワイトボード３への投影を指示するための表示ボタン、ホワイトボード３に投影されている画像の拡大表示を指示するための拡大表示ボタン、ホワイトボード３に投影する画像の入力先（パソコン５と、シートスキャナ１２）の切替を指示するための入力切替ボタン、ホワイトボード３に投影されている画像のスクロールを指示するためのスクロールボタンと、ホワイトボード３に投影されている画像の筆記スペース表示を指示するための筆記スペースボタン、カーソルボタン、決定ボタン、ホワイトボード３に投影されている画像のページの送り／戻しを指示するための送り／戻しボタン、ＲＡＭ２３に格納されているサムネイル画像の一覧のホワイトボード３への表示を指示するためのサムネイル画像表示ボタン、ホワイトボード３に表示されている投影画像と筆記画像の撮影／保存を指示するための追記保存ボタン、ホワイトボード３に表示されている画像の撮影／保存を指示するための保存ボタン、ＲＡＭ２３に保存されている画像の削除を指示するための消去ボタン、ＲＡＭ２３に保存している画像をＬＡＮを介しての配信を指示するためのネットワーク配信ボタン、およびテンキー等を備えている。
【００４６】
ここで、本発明の特徴的部分であるホワイトボード３の撮影動作を説明する。図１のプレゼンテーション装置１の全体制御部２１は、撮影モードとして、ホワイトボード３に表示されている画像を通常の方法で撮影する通常撮影モードと、ホワイトボード３に表示されている投影画像と筆記画像を高精度に撮影する追記撮影モードとを備えている。
【００４７】
まず、通常撮影モードの動作を説明する。全体制御部２１は、リモコン１０で保存ボタンが押下されると、デジタルカメラ１１に撮影指示を送出し、これに応じて、デジタルカメラ１１では、ホワイトボード３に表示されている画像の撮影を行い、撮影した画像をＲＡＭ２３に保存する。画像処理部２４は、撮影した画像のサムネイル画像を作成してＲＡＭ２３に保存する。
【００４８】
つぎに、追記撮影モードの動作を説明する。全体制御部２１は、リモコン１０で追記保存ボタンが押下されると、プロジェクタ２で投影している投影画像Ａの替わりに、全黒画像をプロジェクタ２に投影させる。この後、全体制御部２１は、デジタルカメラ１１に撮影指示を送出し、これに応じて、デジタルカメラ１１では、ホワイトボード３の撮影を行い、これにより、筆記画像のみが撮影され、撮影した画像（筆記画像Ｂ）をＲＡＭ２３に格納する。
【００４９】
画像処理部２４は、デジタルカメラ１１によって撮影されてＲＡＭ２３に保存された筆記画像Ｂと、全黒画像が表示される前に表示されていた投影画像Ａとを合成して合成画像を生成してＲＡＭ２３に保存する。画像処理部２４は、撮影した画像のサムネイル画像を作成してＲＡＭ２３に保存する。なお、パソコン４から入力される画像情報をプロジェクタ２で表示していた場合と、シートスキャナで読み取った画像情報をプロジェクタ２で表示していた場合とでは、追記保存モードの動作が少し異なるがその点は後述する。
【００５０】
つぎに、上記構成のプレゼンテーション装置１でプレゼンテーションを行う場合の動作を図５および図６を参照して説明する。まず、プレゼンテーション装置１のシートスキャナ１２でシート原稿を読み取ってプレゼンテーションを行う場合を図５を参照して説明する。図５は、プレゼンテーション装置１でシート原稿を読み取ってプレゼンテーションを行う場合を説明するための説明図である。
【００５１】
以下の説明では、アナログスイッチ２５が、全体制御部２１側に切り替わっている場合を説明する。まず、上記図３に示すように、プレゼンテーション資料のシート原稿Ｃをプレゼンテーション装置１の原稿トレイ１４にセットする。そして、操作者により、リモコン１０の表示ボタンが押下されると、プレゼンテーション装置１の全体制御部２１は、シートスキャナ７を駆動制御してシート原稿６の画像を１枚毎に読取らせ（図５（ａ））、読み取られた画像情報をＲＡＭ２３に保存するとともに、アナログＲＧＢ出力部２７から出力ＲＧＢケーブル１３を介してプロジェクタ２に出力する。プロジェクタ２は、入力される画像情報をホワイトボード３に投影画像として投影表示する。
【００５２】
ここで、全体制御部２１は、ＲＡＭ２３の空き容量を管理してシート原稿Ｃを順次自動的にシートスキャナ１２に読み取らせ、読み取った画像情報をＲＡＭ２３に順次保存する。これにより、操作者が次のシート原稿Ｃの次のページを表示する場合もシートスキャナ１２の読取動作を待たずに投影表示が可能となる。
【００５３】
操作者は、リモコン１０の送り／戻りボタンを押すことで、シートスキャナ１２によって読み取ったシート原稿６の任意のページの画像をホワイトボード３上に投影表示することが可能となっている（図５（ｃ））。
【００５４】
また、画像処理部２４は、ＲＡＭ２３に保存した読み取った画像情報のサムネイル画像を作成して、ＲＡＭ２３に保存する。操作者により、リモコン１０でサムネイル画像表示ボタンが押下されると、全体制御部２１は、ＲＡＭ２３に格納されているサムネイル画像の一覧をプロジェクタ２に転送する。プロジェクタ２は、転送されるサムネイル画像の一覧をホワイトボード３の一画面に投影表示する（図５（ｂ））。ここで、操作者が、リモコン１０のカーソルボタンを操作して、ホワイトボード３上に表示されたサムネイル画像を選択し、決定ボタンを押すと、全体制御部２１は、選択されたサムネイル画像に対応する画像情報をＲＡＭ２３から読み出してプロジェクタ２に出力し、プロジェクタ２により選択されたサムネイル画像のページが投影表示される。このように、操作者は、リモコン１０を操作して任意のページの画像を選択できるので、例えば、最後のページから最初のページへ表示画面を移動する場合は、最後のページから最初のページへ順次戻す必要がなく好きなページの画像を表示することが可能となる。
【００５５】
また、任意のページの画像を表示中に、操作者がリモコン１０の拡大表示ボタンを押すと、全体制御部２１は、ＲＡＭ２３に保存されている表示中の画像を画像処理部２４に拡大処理させ、拡大処理した画像をアナログＲＧＢ出力部２７を介してプロジェクタ２に出力する。また、プロジェクタ２は、拡大処理した画像をプロジェクタ２に投影して表示する（図５（ｄ））。また、操作者がリモコン１０のスクロールボタンを押すと、全体制御部２１は、ＲＡＭ２３に保存されている表示中の画像を画像処理部１７にスクロール処理させ、スクロール処理した画像をアナログＲＧＢ出力部２７を介してプロジェクタ２に出力する。プロジェクタ２は、スクロール処理した画像をホワイトボード３に投影表示する（図５（ｅ））。
【００５６】
また、任意のページの画像を表示中に、操作者がリモコン１０の筆記スペースボタンを押すと、全体制御部２１は、ＲＡＭ２３に保存されている表示中の画像を画像処理部１７に筆記スペース処理させ、筆記スペース処理した画像をアナログＲＧＢ出力部２７を介してプロジェクタ２に出力する。プロジェクタ２は、筆記スペース処理した画像情報をホワイトボード３に投影して表示する（図５（ｇ））。リモコン１０の筆記スペースボタンを押す毎に、左寄→右寄→中央→左寄→右寄→・・・の筆記スペース処理が行われる。
【００５７】
次に、操作者が、プロジェクタ２でホワイトボード３に投影表示されている投影画像に修正／追加等を行う場合には、投影表示されているホワイトボード３上にマーカーペン４によって直接筆記する（図５（ｆ）、（ｈ）、（ｉ））。
【００５８】
ここで、操作者により、リモコン１０の追記保存ボタンが押されると、全体制御部２１は、プロジェクタ２に転送して投影している投影画像Ａの替わりに、全黒画像をプロジェクタ２に転送して投影させる。この後、全体制御部２１は、デジタルカメラ１１に撮影指示を送出し、これに応じて、デジタルカメラ１１では、ホワイトボード３に表示されている筆記画像Ｂの撮影を行い、撮影した筆記画像ＢをＲＡＭ２３に格納する。
【００５９】
画像処理部２４は、デジタルカメラ１１によって撮影されてＲＡＭ２３に保存された筆記画像Ｂと、全黒画像が表示される前に表示されていたＲＡＭ２３に保存されている投影画像Ａとを合成して合成画像を生成してＲＡＭ２３に保存する。
【００６０】
このように、ホワイトボード３の撮影時に全黒画像を投影して撮影することとしたので、デジタルカメラ１１では、ホワイトボード３に筆記された筆記画像のみを撮影することができ、投影部分と非投影部分の明るさムラを排除することができる。
【００６１】
また、画像処理部２４は、生成した合成画像のサムネイル画像を作成してＲＡＭ２３に保存する。この合成画像のサムネイル画像も上述したサムネイル画像一覧表示の対象となる。このように、合成画像もシートスキャナ１２で読み取られたシート原稿Ｃと同様にサムネイル表示をすることができ、筆記操作によって修正／追加等された情報を何時でも選択して表示することが可能である。
【００６２】
以上のようにして、会議や打ち合わ等のプレゼンテーションが終了した後は、操作者は、リモコン１０を操作して、サムネイル画像の一覧をホワイトボード３に表示させ、サムネイル画像の中から配信したいものを選択し、配信を指示すると、全体制御部２１は、選択されたサムネイル画像に対応する画像を、ＬＡＮ  Ｃｏｎｔｒｏｌｌｅｒ２２を介してＬＡＮに接続されている会議参加者の端末に、議事録または会議の決定事項として配信する。なお、送信先のアドレスはリモコン１０で設定可能となっている。これにより、ＲＡＭ２３に保存されている画像から任意の画像を選択して、ＬＡＮを介して会議参加者へ議事録または会議の決定事項として配信することができる。
【００６３】
なお、全体制御部２１は、画像を配信する場合に、画像を画像情報ファイルやＰＤＦファイルに変換し、既存のＥ−ｍａｉｌとして送信することにしても良い。既存のＥ−ｍａｉｌ方式を使用することで、現在普及しているネットワーク環境、Ｅ−ｍａｉｌのメールサーバを利用でき、本プレゼンテーション装置を使用するにあたり新たな配信サーバの設定、保守管理が必要なく容易に利用することが可能となる。
【００６４】
つぎに、図６を参照して、パソコン５を接続してパソコン５上で作成したプレゼンテーション情報ファイルを使用してプレゼンテーションを行う場合を説明する。図６は、パソコン上で作成したプレゼンテーション情報ファイルを使用してプレゼンテーションを行う場合を説明するための説明図である。
【００６５】
図１のプレゼンテーション装置１は、パソコン５を接続可能であるので、シート原稿だけではなくパソコン５上で作成されたプレゼンテーション情報ファイルをそのままホワイトボード３に投影表示することが可能である。パソコン５上のプレゼンテーション情報ファイル（アプリケーションファイル）を、プロジェクタ２で投影表示したい場合は、操作者がリモコン１０の入力切替ボタンを押下し、これに応じて、全体制御部２１は、アナログスイッチ２５を切り替え、アナログＲＧＢ入力部２８からの入力をアナログＲＧＢ出力部２７からプロジェクタ２に出力する。これにより、パソコン５のプレゼンテーション情報ファイルが投影画像としてホワイトボード３に投影表示される（図６（ｃ）、（ｄ））。ホワイトボード３に投影した画像については、シートスキャナ１２の読み取り画像と同様に、拡大表示、スクロール表示、および筆記スペース表示が可能となっている（図６（ｂ）、（ｆ））。
【００６６】
また、リモコン１０の入力切替ボタンで、ホワイトボード３の投影画面をパソコン５の画面とＲＡＭ２３に格納されている画像（サムネイル一覧画面）とを切り替えることができる（図６（ｄ）、（ｅ））。
【００６７】
次に、操作者が、プロジェクタ２でホワイトボード３に投影表示されている投影画像に修正／追加等を行う場合、投影表示されているホワイトボード３上にマーカーペン４によって直接筆記する（図６（ｇ）、（ｈ）、（ｉ））。
【００６８】
ここで、操作者により、リモコン１０の追記保存ボタンが押されると、全体制御部２１は、ホワイトボード３に投影しているアナログＲＧＢ入力部２８から入力されるパソコン５の表示画像（投影画像Ａ）を、Ａ／Ｄ変換器２６によってデジタル信号に変換した後、ＲＡＭ２３に保存する。つぎに、全体制御部２１は、アナログスイッチ２５を切替え、全黒画像をプロジェクタ２に転送して投影させる。この後、全体制御部２１は、デジタルカメラ１１に撮影指示を送出し、これに応じて、デジタルカメラ１１では、ホワイトボード３に表示されている筆記画像Ｂの撮影を行い、撮影した筆記画像ＢをＲＡＭ２３に格納する。
【００６９】
画像処理部２４は、デジタルカメラ１１によって撮影されてＲＡＭ２３に保存された筆記画像Ｂと、全黒画像が表示される前に表示されていたＲＡＭ２３に保存されている投影画像Ａとを合成して合成画像を生成してＲＡＭ２３に保存する。この場合も、画像処理部２４は、生成した合成画像のサムネイル画像を作成してＲＡＭ２３に保存する。この合成画像のサムネイル画像も上述したサムネイル画像一覧表示の対象となる。このように、筆記操作によって修正／追加等された情報を何時でも選択して表示することが可能である。
【００７０】
なお、図５の場合と同様に、会議や打ち合わ等のプレゼンテーションが終了した後は、ＲＡＭ２３に保存した画像を選択して、ＬＡＮを介して会議参加者の端末に配信することができる。
【００７１】
上記の例では、プレゼンテーション資料は、シート原稿のシートスキャナによる読み込み、及び接続パソコン上のデータの表示について説明したが、ＬＡＮ  Ｃｏｎｔｒｏｌｌｅｒ２２でネットワークＩ／Ｆ９を介してプレゼンテーションに使用する画像ファイルを予め受信してＲＡＭ２３に格納し、ＲＡＭ２３に格納した画像ファイルをホワイトボード３に投影することにしても良い。これにより、シート原稿、パソコンの準備が不要となる。
【００７２】
なお、上記では、プレゼンテーション装置１とプロジェクタ２とを別体に構成したが、プレゼンテーション装置１とプロジェクタを一体に構成することにしても良い。図７は、プレゼンテーション装置とプロジェクタを一体に構成した場合のプレゼンテーション装置の外観構成を示す図である。図７において、１９は、プロジェクタ部の投影レンズを示している。図８は、図７のプレゼンテーション装置１が、シート原稿Ｃを読み取る動作を説明するための図である。読取原理は、上記図３と同様であるのでその説明は省略する。
【００７３】
以上説明したように、本実施の形態のプレゼンテーション装置１によれば、デジタルカメラ１１でホワイトボード３を撮影する場合に、全体制御部２０は、プロジェクタ２でホワイトボード３に投影している投影画像の替わりに、全黒画像をプロジェクタに投影させ、デジタルカメラ１１は、ホワイトボード３の撮影を行い、これにより、筆記画像のみが撮影され、撮影した筆記画像と全黒画像が表示される前に表示されていた投影画像とを合成して合成画像を生成することとしたので、デジタルカメラ１１では、ホワイトボード３に筆記された筆記画像のみを撮影することができ、投影部分と非投影部分の明るさムラを排除することが可能となる。また、現在のプロジェクタで投影される投影画像は、元の画像情報より解像度が低いため元の画像情報より劣化しており、さらに、その投影画像を撮影することにより更に画像が劣化してしまうが、投影画像を撮影しないで筆記画像のみを撮影して、元の画像情報と合成することとしたので、画質の劣化を防ぐことが可能となる。
【００７４】
また、本実施の形態のプレゼンテーション装置１によれば、ネットワークを介してデータ通信を行うためのＬＡＮ  Ｃｏｎｔｒｏｌｌｅｒ（ネットワーク処理部）２２を備えているので、ネットワークを介してデータの送受信を行うことが可能となる。
【００７５】
また、本実施の形態のプレゼンテーション装置１によれば、コンピュータ（例えば、パソコン）と接続するためのアナログＲＧＢ入力部２８を備え、コンピュータ５からアナログＲＧＢ入力部２８を介して入力される画像情報をプロジェクタ２に出力してホワイトボード３に投影画像として投影させることとしたので、コンピュータ５の画面をホワイトボード３に表示することが可能となる。
【００７６】
また、本実施の形態のプレゼンテーション装置１によれば、シート原稿の原稿画像を読み取るシートスキャナ１２を備え、シートスキャナ１２で読み取った原稿画像をプロジェクタ２で投影することとしたので、シート原稿をプロジェクタ２で投影することが可能となり、急な資料の表示が可能となる。
【００７７】
また、本実施の形態のプレゼンテーション装置１によれば、ＬＡＮ  Ｃｏｎｔｒｏｌｌｅｒ（ネットワーク処理部）２２でネットワークを介して受信した画像情報を、プロジェクタ２で投影することとしたので、シート原稿やパソコンの準備等が不要となるため、パソコンの運搬・設置・起動といった会議の前準備が不用となり効率良く会議を行なうことが可能となる。
【００７８】
また、本実施の形態のプレゼンテーション装置１によれば、プレゼンテーション装置と投影装置を一体的に構成することとしたので、プレゼンテーション装置と投影装置の構造をコンパクト化することが可能となる。
【００７９】
また、本実施の形態のプレゼンテーション装置１によれば、シートスキャナ１２で読み取った画像情報、デジタルカメラ１１で撮影した筆記画像、および画像処理部２４で合成した合成画像をＲＡＭ２３に格納し、また、画像処理部２４でこれの画像のサムネイル画像を生成して、ＲＡＭ２３に格納し、このＲＡＭ２３に格納されているサムネイル画像の一覧を、プロジェクタ２にホワイトボード３に投影させ、投影されたサムネイル画像の一覧の中からサムネイル画像を選択し、選択されたサムネイル画像に対応する画像をプロジェクタ２でホワイトボード３に投影することとしたので、シートスキャナ１２で読み取った画像情報、デジタルカメラ１１で撮影した筆記画像、および画像処理部２４で合成した合成画像を順次送りして、表示切り替えを行う必要がなくなり、任意のページの画像を素早く選択して表示することが可能となる。
【００８０】
また、ＬＡＮ  Ｃｏｎｔｒｏｌｌｅｒ（ネットワーク処理部）２２は、ネットワークを介してＲＡＭ２３に格納されている画像を配信することとしたので、画像を会議参加者への議事録、または会議の決定事項として配信することができ、議事録を別途作成しなくても良くなる。また、随時保存した内容をその場で配信できるので、従来の会議のように会議後の議事録、配信処理をしなくて良く、会議時間の間で会議を終えることができ、会議の効率を上げることができる。
【００８１】
また、ＬＡＮ  Ｃｏｎｔｒｏｌｌｅｒ（ネットワーク処理部）２２は、ＲＡＭ２３に格納されている画像を、Ｅ−Ｍａｉｌの形式で配信することとしたので、既存のＥ−ｍａｉｌ方式にすることで、現在普及されているネットワーク環境やＥ−ｍａｉｌのメールサーバを利用でき、本プレゼンテーション装置を使用するにあたり新たな配信サーバの設置やその保守管理が不要となる。
【００８２】
なお、本発明は、上記した実施の形態に限定されるものではなく、発明の要旨を変更しない範囲で適宜変形可能である。
【００８３】
例えば、上記した実施の形態では、リモコン１０でプレゼンテーション装置１を操作することとしたが、パソコン５にプレゼンテーション装置１の操作用のアプリケーションソフトをインストールして、パソコン５の画面からプレゼンテーション装置を操作することにしても良い。
【００８４】
【発明の効果】
以上説明したように、請求項１にかかる発明は、筆記可能な表示板に、投影装置で画像を投影してプレゼンテーションを行うプレゼンテーションシステムにおけるプレゼンテーション装置において、前記表示板を撮影するための撮影手段と、シート原稿の原稿画像を読み取る画像読取手段と、前記画像読取手段で読み取った原稿画像等を前記投影装置に出力する出力手段と、を備えたこととしたので、シート原稿を表示板に投影することができ、急な資料の表示が可能なプレゼンテーション装置を提供することが可能となるという効果を奏する。
【００８５】
また、請求項２にかかる発明は、筆記可能な表示板に投影装置で画像を投影してプレゼンテーションを行うプレゼンテーションシステムにおけるプレゼンテーション装置において、前記投影装置が前記表示板に投影する画像を、前記投影装置へ出力する出力手段と、前記表示板を撮影するための撮影手段と、前記前記撮影手段で前記表示板を撮影する場合に、前記投影手段で前記表示板に投影している投影画像を非投影状態にさせ、前記表示板に筆記された筆記画像のみを撮影させるべく制御する撮影制御手段と、前記撮影手段で撮影された筆記画像と、前記表示板に投影されていた前記投影画像とを合成して合成画像を生成する画像合成手段と、を備えたこととしたので、表示板に投影した画像や筆記した画像を同時に記録する場合に、明るさにムラのない適正な画像を得ることが可能なプレゼンテーション装置を提供することが可能となるという効果を奏する。
【００８６】
また、請求項３にかかるプレゼンテーション装置によれば、請求項２にかかる発明において、前記撮影制御手段は、前記撮影手段で前記表示板を撮影する場合に、前記投影手段に前記投影画像の替わりに全黒画像を投影させて非投影状態にすることとしたので、簡易に投影画像を非投影状態とすることが可能となる。
【００８７】
また、請求項４にかかるプレゼンテーション装置によれば、請求項１〜請求項３のいずれか１つにかかる発明において、ネットワークを介してデータの送受信を行うネットワーク処理手段を備えたこととしたので、ネットワークを介してデータの送受信を行うことが可能となる。
【００８８】
また、請求項５にかかるプレゼンテーション装置によれば、請求項１〜請求項３のいずれか１つにかかる発明において、パソコンと接続するためのインターフェイスを備え、前記出力手段は、前記パソコンから前記インターフェイスを介して入力される画像情報を前記投影手段に出力することとしたので、シート原稿をプロジェクタ２で投影することが可能となる。
【００８９】
また、請求項６にかかるプレゼンテーション装置によれば、請求項２または請求項３にかかる発明において、さらに、シート原稿の原稿画像を読み取る画像読取手段を備え、前記出力手段は、前記画像読取手段で読み取った原稿画像を前記投影装置に出力することとしたので、シート原稿を投影装置で投影することが可能となる。
【００９０】
また、請求項７にかかるプレゼンテーション装置によれば、請求項４にかかる発明において、前記出力手段は、前記ネットワーク処理手段でネットワークを介して受信した画像を前記投影装置に出力することとしたので、シート原稿やパソコンの準備等が不要となるため、パソコンの運搬・設置・起動といった会議の前準備が不用となり効率良く会議を行なうことが可能となる。
【００９１】
また、請求項８にかかるプレゼンテーション装置によれば、請求項１〜請求項３のいずれか１つにかかる発明において、前記投影装置と一体的に構成したので、プレゼンテーション装置と投影装置の構造をコンパクト化することが可能となる。
【００９２】
また、請求項９にかかるプレゼンテーション装置によれば、請求項６にかかる発明において、さらに、前記画像読取手段で読み取った原稿画像、前記撮影手段で撮影した筆記画像、および前記合成手段で合成した合成画像を保存する記憶手段と、前記記憶手段に保存されている画像のサムネイル画像を生成して、前記記憶手段に格納するサムネイル画像生成手段と、前記記憶手段に格納されたサムネイル画像の一覧を、前記投影装置に前記表示板に投影させるサムネイル画像表示制御手段と、前記投影されたサムネイル画像の一覧の中からサムネイル画像を選択する選択手段と、前記選択手段で選択されたサムネイル画像に対応する画像を、前記投影装置に前記表示板に投影させる画像投影制御手段と、を備えたこととしたので、画像読取手段で読み取った画像情報、撮影手段で撮影した筆記画像、および画像処理部で合成した合成画像を順次送りして表示切り替えを行う必要がなくなり、任意のページの画像を素早く選択して表示することが可能となる。
【００９３】
また、請求項１０にかかるプレゼンテーション装置によれば、請求項６にかかる発明において、さらに、前記画像読取手段で読み取った原稿画像、前記撮影手段で撮影した筆記画像、および前記合成手段で合成した合成画像を保存する記憶手段を備え、前記ネットワーク処理手段は、前記記憶手段に格納されている画像をネットワークを介して配信することとしたので、画像を会議参加者への議事録または会議の決定事項として配信することができ、議事録を別途作成しなくても良くなる。また、随時保存した内容をその場で配信できるので、従来の会議のように会議後の議事録、配信処理をしなくて良く、会議時間の間で会議を終えることができ、会議の効率を上げることが可能となる。
【００９４】
また、請求項１１にかかるプレゼンテーション装置によれば、請求項１０にかかる発明において、前記ネットワーク処理手段は、前記画像をＥ−Ｍａｉｌの形式で配信することとしたので、既存のＥ−ｍａｉｌ方式にすることで、現在普及されているネットワーク環境やＥ−ｍａｉｌのメールサーバを利用でき、本プレゼンテーション装置を使用するにあたり新たな配信サーバの設置やその保守管理が不要となる。
【図面の簡単な説明】
【図１】本実施の形態にかかるプレゼンテーションシステムの外観構成を示す図である。
【図２】図１のプレゼンテーション装置の詳細な外観構成を示す図である。
【図３】プレゼンテーション装置のシートスキャナが、シート原稿を読み取る動作を説明するための図である。
【図４】図１のプレゼンテーション装置のハードウエア構成を示す図である。
【図５】プレゼンテーション装置でシート原稿を読み取ってプレゼンテーションを行う場合を説明するための説明図である。
【図６】パソコン上で作成したプレゼンテーション情報ファイルを使用してプレゼンテーションを行う場合を説明するための説明図である。
【図７】プレゼンテーション装置とプロジェクタを一体に構成した場合のプレゼンテーション装置の外観構成を示す図である。
【図８】図７のプレゼンテーション装置がシート原稿を読み取る動作を説明するための図である。
【符号の説明】
１    プレゼンテーション装置
２    プロジェクタ（投影装置）
３    ホワイトボード
４    マーカーペン
５    パソコン
１０  リモコン
１１  デジタルカメラ
１２  シートスキャナ（画像入力部）
１３  出力ＲＧＢケーブル
１４  入力ＲＧＢケーブル
１５  ＬＡＮ  Ｉ／Ｆ
１６  プロジェクタ設置台
１７  ＬＡＮケーブル
２０  メイン制御ボード
２１  全体制御部
２２  ＬＡＮ  Ｃｏｎｔｒｏｌｌｅｒ（ネットワーク処理部）
２３  ＲＡＭ
２４  画像処理部
２５  アナログスイッチ
２６  Ａ／Ｄ変換器
２７  アナログＲＧＢ出力部
２８  アナログＲＧＢ入力部
３０  リモコン受信部
【図１】
2004200793.tif 000003
【図２】
2004200793.tif 000004
【図３】
2004200793.tif 000005
【図４】
2004200793.tif 000006
【図５】
2004200793.tif 000007
【図６】
2004200793.tif 000008
【図７】
2004200793.tif 000009
【図８】
2004200793.tif 000010